(57)【要約】【課題】ライブラリ管理装置で管理されるライブラリの最新情報を即座に得ることができるＣＡＤ端末を提供する。【解決手段】フットパターンが更新されているか否かを更新問合部１１でライブラリ管理装置に問い合わせ、フットパターンが変更されていたときに更新ライブラリ取得可否指定部１２で更新後の新たなフットパターンを指定し、更新ライブラリ取得部１３で更新後の新たなフットパターンを取得する。【選択図】        図２
2004234231.tif 000002
【特許請求の範囲】
【請求項１】
設計に用いられるライブラリを管理するライブラリ管理装置に通信回線を介して接続され、該ライブラリ管理装置からライブラリをダウンロードし操作に応じてデータ上で設計するＣＡＤ端末において、
前記ライブラリ管理装置に、このＣＡＤ端末での設計に用いているライブラリが更新されているか否かを問い合わせる更新問合部と、
このＣＡＤ端末での設計に用いているライブラリが更新されていたときに前記ライブラリ管理装置から、更新後の新たなライブラリを取得する更新ライブラリ取得部とを備えたことを特徴とするＣＡＤ端末。
【請求項２】
このＣＡＤ端末での設計に用いているライブラリが更新されていたときに、更新後の新たなライブラリを取得するか否かを操作に応じて指定する更新ライブラリ取得可否指定部を備え、
前記更新ライブラリ取得部は、前記更新ライブラリ取得可否指定部による、更新後の新たなライブラリを取得する旨の指定を受けて、前記ライブラリ管理装置から、更新後の新たなライブラリを取得するものであることを特徴とする請求項１記載のＣＡＤ端末。
【請求項３】
このＣＡＤ端末は、操作に応じて基板パターンの設計を行なうＣＡＤ端末であって、
前記更新問合部は、基板パターン設計に用いているフットパターンが更新されているか否かを問い合わせるものであることを特徴とする請求項１又は２記載のＣＡＤ端末。
【発明の詳細な説明】
【０００１】
【発明の属する技術分野】
本発明は、設計に用いられるライブラリを管理するライブラリ管理装置からライブラリをダウンロードし操作に応じてデータ上で設計するＣＡＤ端末に関する。
【０００２】
【従来の技術】
従来より、ＣＡＤ端末を使用してディジタルカメラ等の電気回路の設計が行なわれている。このＣＡＤ端末は、基板パターン設計に用いているフットパターン等のライブラリを管理するライブラリ管理装置に通信回線を介して接続されており、そのライブラリ管理装置からライブラリをダウンロードし操作に応じてＣＡＤ端末におけるデータ上で電気回路の設計が行なわれる。ライブラリ管理装置で管理されるライブラリは時々更新される。例えば、フットパターンは、回路基板に実装するにあたりＩＣのリードピンが半田ブリッジする等の理由により半田量や実装精度の関係でパターンの形状が変更される場合がある。ＣＡＤオペレータ（ユーザ）は、ＣＡＤ端末を使用して回路設計するにあたり、ライブラリ管理装置で管理されている最新のバージョンのライブラリを使用して設計する必要がある。また、ライブラリ管理装置への最新のバージョンのライブラリ登録は、ライブラリ登録者により行なわれる。
【０００３】
図５は、従来のＣＡＤ端末において、ライブラリ管理装置で管理されている最新のバージョンのライブラリを取得するための手順を示す図である。
【０００４】
先ず、ステップＳ１１において、ＣＡＤオペレータがライブラリ登録者に更新情報（ここでは、ライブラリ管理装置で管理されている最新のバージョンのフットパターンの例で説明する）の有無を電話や電子メール等で確認する。
【０００５】
次に、ステップＳ１２において、更新情報がある場合はＣＡＤ端末を起動してステップＳ１３に進む。尚、更新情報がない場合はここで終了する。
【０００６】
ステップＳ１３では、ＣＡＤ端末上で、電話や電子メール等で確認したフットパターンを選択する。
【０００７】
さらに、ステップＳ１４において、ライブラリ管理装置で管理されているライブラリデータベースから、選択したフットパターンの最新バージョンを取得する。このようにして取得された最新バージョンのフットパターンを使用してＣＡＤ端末上で回路設計を行なう。
【０００８】
また、ＣＡＤオペレータがライブラリ管理装置のマスタライブラリ情報とＣＡＤ端末側のライブラリ情報とを比較し、その比較結果をライブラリ登録者に電子メールで送信し、ライブラリ登録者によりＣＡＤ端末で使用するライブラリ情報の更新を行なう技術が提案されている（例えば、特許文献１参照）。
【０００９】
【特許文献１】
特開２０００−２９８６０９号公報（段落番号００２３−段落番号０
０２９、第１図）
【００１０】
【発明が解決しようとする課題】
従来のＣＡＤ端末では、ＣＡＤオペレータがライブラリ管理装置で管理されるライブラリの最新情報を得るためには、電話や電子メールでライブラリ登録者に伝達する必要がある。従って、タイムラグが発生しライブラリ管理装置で管理されるライブラリの最新情報を即座に得ることは困難であるという問題がある。
【００１１】
本発明は、上記事情に鑑み、ライブラリ管理装置で管理されるライブラリの最新情報を即座に得ることができるＣＡＤ端末を提供することを目的とする。
【００１２】
【課題を解決するための手段】
上記目的を達成する本発明のＣＡＤ端末は、設計に用いられるライブラリを管理するライブラリ管理装置に通信回線を介して接続され、そのライブラリ管理装置からライブラリをダウンロードし操作に応じてデータ上で設計するＣＡＤ端末において、
上記ライブラリ管理装置に、このＣＡＤ端末での設計に用いているライブラリが更新されているか否かを問い合わせる更新問合部と、
このＣＡＤ端末での設計に用いているライブラリが更新されていたときに上記ライブラリ管理装置から、更新後の新たなライブラリを取得する更新ライブラリ取得部とを備えたことを特徴とする。
【００１３】
本発明のＣＡＤ端末は、このＣＡＤ端末での設計に用いているライブラリが更新されているか否かをライブラリ管理装置に問い合わせ、ライブラリが更新されていたときにはライブラリ管理装置から、更新後の新たなライブラリを取得するものであるため、従来の、ライブラリの最新情報を得るために電話や電子メールでライブラリ登録者に伝達する技術と比較し、ライブラリ管理装置で管理されるライブラリの最新情報を即座に得ることができる。
【００１４】
ここで、このＣＡＤ端末での設計に用いているライブラリが更新されていたときに、更新後の新たなライブラリを取得するか否かを操作に応じて指定する更新ライブラリ取得可否指定部を備え、
上記更新ライブラリ取得部は、上記更新ライブラリ取得可否指定部による、更新後の新たなライブラリを取得する旨の指定を受けて、上記ライブラリ管理装置から、更新後の新たなライブラリを取得するものであることが好ましい。
【００１５】
このような更新ライブラリ取得可否指定部を備えて、更新後の新たなライブラリを取得すると、所望のライブラリを簡単に取得することができる。
【００１６】
また、このＣＡＤ端末は、操作に応じて基板パターンの設計を行なうＣＡＤ端末であって、
上記更新問合部は、基板パターン設計に用いているフットパターンが更新されているか否かを問い合わせるものであることも好ましい態様である。
【００１７】
このようなＣＡＤ端末を備えると、実装側における半田量や実装精度等の情報を、ＣＡＤ端末の設計に反映させることができる。
【００１８】
【発明の実施の形態】
以下、本発明の実施形態について説明する。
【００１９】
図１は、本発明のＣＡＤ端末の一実施形態が組み込まれたシステムを示す図である。
【００２０】
図１には、ライブラリ管理装置１００と、本発明の一実施形態のＣＡＤ端末１０（ここでは３つのＣＡＤ端末が示されている）が示されている。
【００２１】
ライブラリ管理装置１００は、設計に用いられるライブラリを管理する装置であり、このライブラリ管理装置１００には通信回線を介して３つのＣＡＤ端末１０が接続されている。このライブラリ管理装置１００は、更新後の新たなライブラリとして、例えば図１に示す最新情報のフットパターンＦＰ２を有する。
【００２２】
ＣＡＤ端末１０は、ライブラリ管理装置１００からライブラリをダウンロードし操作に応じてデータ上で設計する端末であり、詳細には操作に応じて基板パターンの設計を行なうＣＡＤ端末である。このＣＡＤ端末１０は、最新情報のフットパターンＦＰ２のバージョンよりも古いバージョンのフットパターンＦＰ１（ＣＡＤ端末１０で現在使用しているフットパターン）を有する。ここで、ＣＡＤ端末１０の構成について図２を参照して説明する。
【００２３】
図２は、図１に示すＣＡＤ端末の構成を示す図である。
【００２４】
図２に示すＣＡＤ端末１０には、更新問合部１１と、更新ライブラリ取得可否指定部１２と、更新ライブラリ取得部１３とが備えられている。
【００２５】
更新問合部１１は、ライブラリ管理装置１００（図１参照）に、このＣＡＤ端末１０での設計に用いているライブラリが更新されているか否かを問い合わせるものであり、詳細には、この更新問合部１１は、基板パターン設計に用いているフットパターンが更新されているか否かを問い合わせるものである。
【００２６】
更新ライブラリ取得可否指定部１２は、このＣＡＤ端末１０での設計に用いているライブラリが更新されていたときに、更新後の新たなライブラリを取得するか否かを操作に応じて指定するものであり、この更新ライブラリ取得可否指定部１２には後述する表示部１２ａやマウスが備えられている。
【００２７】
更新ライブラリ取得部１３は、このＣＡＤ端末１０での設計に用いているライブラリが更新されていたときにライブラリ管理装置１００から、更新後の新たなライブラリを取得するものであり、詳細には、この更新ライブラリ取得部１３は、更新ライブラリ取得可否指定部１２による、更新後の新たなライブラリを取得する旨の指定を受けて、ライブラリ管理装置１００から、更新後の新たなライブラリを取得するものである。
【００２８】
図３は、本実施形態のＣＡＤ端末における、ライブラリ管理装置で管理されている最新のバージョンのライブラリを取得するための手順を示す図である。また、図４は、更新ライブラリ取得可否指定部に備えられた表示部を示す図である。
【００２９】
先ず、ステップＳ１において、ＣＡＤオペレータによりＣＡＤ端末１０が起動される。すると、ＣＡＤ端末１０を構成する更新問合部１１が、ライブラリ管理装置１００に、このＣＡＤ端末１０での基板パターン設計に用いているフットパターンＦＰ１が更新されているか否かを、図１の矢印で示す通信回線を介して問い合わせる。
【００３０】
次に、ステップＳ２において、ライブラリ管理装置１００からのフットパターンＦＰ２とＣＡＤ端末１０のフットパターンＦＰ１とを比較する。比較した結果、差異があると判定された場合はステップＳ３に進み、差異がないと判定された場合はステップＳ５に進む。ステップＳ５に進んだ場合は、ライブラリ（フットパターン）を取得することなくこの手順を終了する。
【００３１】
ステップＳ３では、ＣＡＤ端末１０上に更新を促すメッセージを出す。具体的には、更新ライブラリ取得可否指定部１２には、図４に示す表示部１２ａが備えられており、この表示部１２ａには、「ＩＣ１００のフットパターンが更新されています」という表示と、「現状バージョン１／更新バージョン２」という表示と、「コメント：メタルマスクの寸法変更」という表示と、「更新しますか」という旨のメッセージが表示される。また、更新する場合に操作する「Ｙｅｓ」ボタンと、更新しない場合に操作する「Ｎｏ」ボタンも表示される。
【００３２】
次に、ステップＳ４において、「Ｙｅｓ」ボタンが操作されたか「Ｎｏ」ボタンが操作されたかが判定される。「Ｙｅｓ」ボタンが操作された場合はステップＳ５に進む。ステップＳ５では、図１の矢印で示す通信回線を介して、ライブラリ管理装置１００から最新バージョンのフットパターンＦＰ２を更新ライブラリ取得部１３で取得する。一方、「Ｎｏ」ボタンが操作された場合はステップＳ６に進み、ステップＳ６においてライブラリ（フットパターン）を取得することなくこの手順を終了する。
【００３３】
このように、本実施形態のＣＡＤ端末１０では、このＣＡＤ端末１０での設計に用いているフットパターンが更新されているか否かをライブラリ管理装置１００に問い合わせ、フットパターンが更新されていたときにはライブラリ管理装置１００から、更新後の新たなフットパターンを取得するものであるため、従来の、ライブラリの最新情報を得るために電話や電子メールでライブラリ登録者に伝達する技術と比較し、ライブラリ管理装置１００で管理されるライブラリの最新情報を即座に得ることができる。
【００３４】
尚、本実施形態では、ライブラリとしてフットパターンの例で説明したが、これに限られるものではなく、設計するために必要な情報（仕様）であればよい。
【００３５】
また、本実施形態では、更新ライブラリ取得可否指定部を備え、その更新ライブラリ取得可否指定部による指定を受けて、ライブラリ管理装置から、更新後の新たなライブラリを取得する例で説明したが、本発明は、更新ライブラリ取得可否指定部を備える必要もなく、ライブラリが更新されているか否かを問い合わせる更新問合部と、更新後の新たなライブラリを取得する更新ライブラリ取得部とを備えたものであればよい。
【００３６】
【発明の効果】
以上説明したように、本発明のＣＡＤ端末によれば、ライブラリ管理装置で管理されるライブラリの最新情報を即座に得ることができる。
【図面の簡単な説明】
【図１】本発明のＣＡＤ端末の一実施形態が組み込まれたシステムを示す図である。
【図２】図１に示すＣＡＤ端末の構成を示す図である。
【図３】本実施形態のＣＡＤ端末における、ライブラリ管理装置で管理されている最新のバージョンのライブラリを取得するための手順を示す図である。
【図４】更新ライブラリ取得可否指定部に備えられた表示部を示す図である。
【図５】従来のＣＡＤ端末において、ライブラリ管理装置で管理されている最新のバージョンのライブラリを取得するための手順を示す図である。
【符号の説明】
１０  ＣＡＤ端末
１１  更新問合部
１２  更新ライブラリ取得可否指定部
１２ａ  表示部
１３  更新ライブラリ取得部
１００  ライブラリ管理装置
【図１】
2004234231.tif 000003
【図２】
2004234231.tif 000004
【図３】
2004234231.tif 000005
【図４】
2004234231.tif 000006
【図５】
2004234231.tif 000007